(57)【要約】【課題】  バランス感覚その他の運動能力の育成、維持のために幼児から老人まで広い年代層にわたって使用できるシンプルで効果の優れた運動用具を提供する。【解決手段】  円筒体をその中心軸に平行な平面で切断して成る形状を有することを特徴とする。上記中心軸に平行な平面で切断された切断平坦面（１ａ）の軸方向の長さｍ＝１８±１０ｃｍの範囲内、当該平坦面（１ａ）の軸直角方向の長さｎ＝４８±２０ｃｍの範囲内、平坦面（１ａ）の高さｈ＝２１±１０ｃｍの範囲内にあることが望ましい。好適には、天然木材やプラスチック成型により作製される。【選択図】図１
2005137567.tif 000002
【特許請求の範囲】
【請求項１】
円筒体をその中心軸に平行な平面で切断して成る形状を有する運動用具。
【請求項２】
下記ａ項ないしｃ項に記載の構成のうちから選ばれた少なくとも一種の構成を有することを特徴とする請求項１に記載の運動用具。
ａ）上記中心軸に平行な平面で切断した切断平坦面（１ａ）の軸方向の長さｍが１８±１０ｃｍの範囲内にあること。
ｂ）上記中心軸に平行な平面で切断した切断平坦面（１ａ）の軸直角方向の長さｎが４８±２０ｃｍの範囲内にあること。
ｃ）上記中心軸に平行な平面で切断した切断平坦面（１ａ）の高さｈが２１±１０ｃｍの範囲内にあること。
【発明の詳細な説明】
【技術分野】
【０００１】
本発明は、運動用具に関し、特に、バランス感覚等の育成、維持のために幼児から老人まで広い年代層にわたって楽しみながら使用できるシンプルで効果の優れた運動用具に関する。
【背景技術】
【０００２】
運動用具や健康器具には、筋力を鍛えるもの、持久力を高めるもの、足腰の鍛練を行うもの、スタイルの向上を図るもの、等々、目的に応じてさまざまなタイプのものが開発され、利用されている。
そのように多種多様な運動用具等が提供されているなかで、バランス感覚の育成、維持を主な目的とするものは比較的少なく、例えば下記の特許文献１〜５に開示されたものなどが知られているが、目標とするバランス能力が高度すぎたり、安全性の点で問題があったり、構造が複雑であったりするなど、いずれも一長一短があり、充分満足できるものは少なかった。
【特許文献１】特開平０６−１７００１１号公報
【特許文献２】特開平０９−１７３５０１号公報
【特許文献３】特開平０９−２８５５６４号公報
【特許文献４】特開２００２−０９５７７２号公報
【特許文献５】特開２００２−２５３７０２号公報
【発明の開示】
【発明が解決しようとする課題】
【０００３】
本発明は、上記の問題点を解決するためなされたものであり、その目的とするところは、バランス機能その他の運動能力の育成、維持のために幼児から老人まで広い年代層にわたって楽しみながら使用でき、シンプルで、安全性に優れ、使用効果の高い運動用具を提供することにある。
【課題を解決するための手段】
【０００４】
上記の目的は、円筒体をその中心軸に平行な平面で切断して成る形状を有する運動用具によって達成できる。
なお、「半円筒体と略同等の形状」とした理由は、天然木を利用して上記運動用具を作製する場合、原木が正確な円筒体であることは極めて少なく、また、原木の自然な風合いを活かすというコンセプトで作製すれば、若干の歪みや凹凸は不可避である。従って、本発明はそのように不可避的な歪みや凹凸を幾分有する半円筒体形状の運動用具を包含するものである。
また、「円筒体をその中心軸に平行な平面で切断」というときの「中心軸に平行な平面」には、中心軸を含む平面を含むものである。即ち、円筒体を丁度２等分する場合も含むものである。
【０００５】
この運動用具を使用するときは、通常は、上記中心軸に平行な平面で切断した切断平坦面（以下、単に「平坦面」という。）を上向きにし、半円筒体の円筒面が床に接するように床面に置いて、上記平坦面上に乗り、不安定に揺れる運動用具上から転落しないようにバランスを保ち、更には、さまざまな姿勢を取れるように練習するものである。
【０００６】
上記の構成において、上記平坦面の軸方向の長さｍは１８±１０ｃｍの範囲内にあるように構成することが推奨される。８ｃｍ未満であると、運動用具が倒れやすく危険であり、また、平坦面の上に乗り難く、乗っても運動し難いなどの不具合がある。他方、２８ｃｍを超えると、大きすぎて取扱いに不便である。特に、天然木製であると、重量的にも重くなりすぎて取扱いが不便になる。
また、上記平坦面の軸直角方向の長さｎは、４８±２０ｃｍの範囲内にあることが望ましい。２８ｃｍ未満であると、短かすぎて平坦面の上に乗り難く、乗っても運動し難いなどの不具合がある。他方、６８ｃｍを超えると、大きすぎて取扱いに不便であり、また、天然木製の場合、原木調達のコストが高くなる。
上記平坦面の高さｈは、２１±１０ｃｍの範囲内にあることが望ましい。１１ｃｍ未満であると、低すぎてバランス機能の養成に役立たず、他方、３１ｃｍを超えると、高すぎて幼児や老人には危険となる。
【発明の効果】
【０００７】
上記の如き構成であると、不安定に揺動する運動用具の平坦面上に転落しないようにバランスを保ちながら乗り、最初は両足で立ち、慣れてきたら、片足で立ったり、爪先やかかとだけで立ったり、足踏みをしたりすることにより、バランス機能を高めることができる。また、平坦面に両手を着いて腕立て伏せをすれば、腕、肩、胸等の筋肉の鍛練になる。特に子供の場合など、面白がって乗って遊ぶうちに自然にバランス感覚が養成される。また、平坦面を床に着け、円筒面が上を向くように置いて、円筒面上で足踏み運動を行えば、足裏マッサージ効果も達成できる。また、本発明の運動用具は、シンプルな構成であるので、比較的安価に提供できる。
【発明を実施するための最良の形態】
【０００８】
以下、図面に示す実施例を参照しつつ、本発明を実施するための最良の形態について説明する。
【実施例】
【０００９】
図１は、本発明に係る運動用具の一実施例を示す外観斜視図、
図２は、本発明に係る運動用具のもう一つの実施例を示す分解斜視図、
図３ないし図８は、本発明に係る運動用具のさまざまな使用状態を示す写真である。
【００１０】
図１に示す本発明に係る運動用具１は、天然木材を利用して作製されており、その形状は、円筒体をその中心軸Ｏに平行な平面で切断して成る軸直角断面が半月形の片方の半円筒体と略同等の形状を有している。即ち、その平坦面１ａは、円筒体をその中心軸Ｏより若干下側で、かつ、中心軸Ｏに平行な平面で切断することにより形成された面に相当する。円筒面１ｂは、元の円筒体の外周面の一部に相当する。半月形側面１ｃ，１ｄ（但し、背面側の半月形側面１ｄは、図１では隠れて見えない。）は、元の円筒体の両端面の一部に相当し、半円筒体の軸直角断面と同一の形状を有する。
使用者は、図１に示す状態で床に置かれた運動用具１の平坦面１ａの上に乗り、不安定に揺動する運動用具１から落ちないようにバランスを保ちながら、後述する如く、片足で立ったり、爪先立ちしたり、等々、さまざまな姿勢を取るようにする。そうすることによって、バランス機能の育成、維持が図られる。
【００１１】
図示した実施例のものは、平坦面１ａの軸方向の長さｍ＝１８ｃｍ、軸直角方向の長さｎ＝４８ｃｍ、平坦面１ａの床面からの高さｈ＝２１ｃｍとなるように作製されているが、これらの値は、使用者の年令、運動能力等に応じて適宜変更することが可能であり、好ましくは前記の如く、平坦面１ａの軸方向の長さｍ＝１８±１０ｃｍ、軸直角方向の長さｎ＝４８±２０ｃｍ、高さｈ＝２１±１０ｃｍの範囲内に設定される。
基本的には、運動用具１の各部の寸法は、使用者が平坦面１ａの上に乗ってさまざまな姿勢を取ることができ、運動用具自体が転倒したりすることがない安定性が確保され、取扱いが不便でない範囲で適宜変更可能である。
また、利用者の能力に合わせて、仕様の異なるものを二、三種類、個別に製造、販売することも勿論可能である。
【００１２】
図２には、本発明に係る運動用具のもう一つの実施例がその分解斜視図により示されている。この運動用具１は、プラスチック製の蓋体１Ａを、プラスチック成型により作製された胴体１Ｂに嵌め込み、固定することにより作製されるものである。胴体１Ｂの内部には、補強桟１ｅが一体的に成型されている。このようにプラスチックにより作製すれば、工業的に安価かつ大量に製造できる。
平坦面の軸方向の長さｍ、軸直角方向の長さｎ及び高さｈは、図１の実施例の場合と同様の範囲内に設定されることが望ましい。
図２に示した実施例においては、完成時に平坦面１ａを形成すべき部分を蓋体１Ａとしたが、これとは異なり、当該平坦面部分を胴体１Ｂと一体的にプラスチック成型し、半月形側面１ｃ又は１ｄのいずれか一方を胴体１Ｂとは分離して蓋体とし、成型後に両者を結合するようにしてもよく、その場合は、補強桟１ｅの形態も成型に適した形態に変更するものである。
なお、木製、プラスチック製等、いずれの場合においても、デザイン上の目的で、半月形側面１ｃ，１ｄの表面等に各種模様や彫刻等を施すことも自由である。
【００１３】
次に、図３ないし図８を参照しつつ、本発明の運動用具のさまざまな使用状態について説明する。
図３は、運動用具１の平坦面１ａの上に、運動用具が使用者の前後方向に揺動する向きに乗って、両足で立った状態を示している。このとき、運動用具は使用者の前後方向に揺動するので、使用者はバランス維持のために相当の緊張を必要とし、立っている状態を維持するだけで、バランス機能の向上を期することができる。また、バランス維持のために、日常生活では余り使わない大腿部や腹部の筋肉を使用することになるため、腹部や下半身のスタイル向上を期することができる。
図４は、図３の両足で立った状態から、片足だけで立った状態に移行した様子を示している。図３に示す状態よりも図４に示す状態の方が体勢維持が困難であり、その状態を維持するために高度のバランス感覚と筋力を必要とする。
【００１４】
図５は、運動用具１の平坦面１ａの上に、運動用具が使用者の左右方向に揺動する向きに乗って、両足で立った状態を示している。このとき、運動用具は使用者の左右方向に揺動するので、使用者はバランス維持のために相当の緊張を必要とし、図３の場合とは異なった部位の筋肉を使用することになる。
図６は、図５の両足で立った状態から、片足だけで立った状態に移行した様子を示している。図５に示す状態よりも図６に示す状態の方が体勢維持が困難であり、その状態を維持するために一層高度のバランス感覚と筋力を必要とする。
【００１５】
図７及び図８は、運動用具１の平坦面１ａに両手を着いて、腕立て伏せをする状態を示している。図３〜６に示した使用方法とは全く異なった使用方法であるが、不動の床に手を着いて腕立て伏せをする場合とは異なり、ぐらぐらと不安定な運動用具１に手を着いて腕立て伏せをするものであるから、通常とは異なった筋肉とバランス感覚の育成に役立つ。また、どこでも手を汚さずに腕立て伏せ運動を行うことができるという利点もある。
【００１６】
これまでの使用例においては、運動用具１の円筒面１ｂが床に着くような状態で使用したが、平坦面１ａが床に着くように置いて、円筒面１ｂの上に立って足踏み運動等を行なえば、足裏マッサージ効果を得ることも可能である。
【００１７】
なお、本発明は上記の実施例に限定されるものではなく、その目的の範囲内において、上記の説明から当業者が容易に想到し得るすべての変更実施例を包摂するものである。
【産業上の利用可能性】
【００１８】
本発明は上記の如く構成されるから、本発明によるときは、バランス機能その他の運動能力の育成、維持のために幼児から老人まで広い年代層にわたって使用でき、安全性に優れると共に、シンプルな構成であるので、比較的安価に提供できる、等々、多くの利点を備えた運動用具を提供し得るものであり、運動機器分野の産業の発達に寄与するところ大である。
【図面の簡単な説明】
【００１９】
【図１】本発明に係る運動用具の一実施例を示す外観斜視図である。
【図２】本発明に係る運動用具のもう一つの実施例を示す分解斜視図である。
【図３】本発明に係る運動用具の一つの使用例を示す写真である。
【図４】もう一つの使用例を示す写真である。
【図５】更にもう一つの使用例を示す写真である。
【図６】更にもう一つの使用例を示す写真である。
【図７】更にもう一つの使用例を示す写真である。
【図８】更にもう一つの使用例を示す写真である。
【符号の説明】
【００２０】
１    運動用具
１ａ  平坦面
１ｂ  円筒面
１ｃ，１ｄ  半月形側面
１ｅ  補強桟
【図１】
2005137567.tif 000003
【図２】
2005137567.tif 000004
【図３】
2005137567.tif 000005
【図４】
2005137567.tif 000006
【図５】
2005137567.tif 000007
【図６】
2005137567.tif 000008
【図７】
2005137567.tif 000009
【図８】
2005137567.tif 000010